(57)【要約】【課題】シートを安定した姿勢で搬送することが可能なシート搬送装置を提供する。【解決手段】シート搬送装置（１Ａ）は、シートの第１面に対向する第１ガイド（２１）と、シートの第２面に対向する第２ガイド（２２）と、シートの第１面に対向する可動ガイド（２４）と、を備える。第２ガイドは、レジストレーションローラ対（７）のニップ部に対してシート搬送方向の上流及び下流に延びている。可動ガイドは、ニップ部の上流に延びる上流部（２４１）及びニップ部の下流に延びる下流部（２４２）を有し、下流部が第２ガイドに接近又は離間するように移動可能である。【選択図】図３
2020001880.tif 000002
【特許請求の範囲】
【請求項１】
シートを搬送するシート搬送手段と、
シート搬送方向において前記シート搬送手段の下流に配置され、前記シート搬送方向におけるシートの下流端に当接してシートの斜行を補正した後、シートを挟持して搬送するレジストレーションローラ対と、
シートの第１面に対向し、シートを案内する第１ガイドと、
前記レジストレーションローラ対のニップ部に対して前記シート搬送方向の上流及び下流に延び、シートの前記第１面とは反対の第２面に対向する第２ガイドと、
前記ニップ部に対して前記シート搬送方向の上流に延びる上流部と、前記ニップ部に対して前記シート搬送方向の下流に延びる下流部とを有し、シートの前記第１面に対向し、前記下流部が前記第２ガイドに接近又は離間するように移動可能な可動ガイドと、を備える、
ことを特徴とするシート搬送装置。
【請求項２】
前記可動ガイドの前記下流部は、前記レジストレーションローラ対がシートを搬送していない状態で前記第２ガイドに当接し、前記レジストレーションローラ対がシートを搬送する場合、シートに押圧されることで前記第２ガイドから離間する、
ことを特徴とする請求項１に記載のシート搬送装置。
【請求項３】
前記可動ガイドの前記下流部を前記第２ガイドに近付ける方向に前記可動ガイドを付勢する付勢部材を備える、
ことを特徴とする請求項２に記載のシート搬送装置。
【請求項４】
前記第１ガイドは、前記シート搬送方向における前記ニップ部の下流に、前記シート搬送方向に直交する幅方向から視て湾曲した湾曲部を有し、
前記可動ガイドの前記下流部は、前記湾曲部に沿って湾曲している、
ことを特徴とする請求項１乃至３のいずれか１項に記載のシート搬送装置。
【請求項５】
前記第１ガイドは、前記幅方向から視て、前記湾曲部が形成する搬送路の湾曲の内側に位置する、
ことを特徴とする請求項４に記載のシート搬送装置。
【請求項６】
前記第１ガイドは、前記幅方向から視て、前記湾曲部が形成する搬送路の湾曲の外側に位置する、
ことを特徴とする請求項４に記載のシート搬送装置。
【請求項７】
前記可動ガイドの前記上流部は、前記シート搬送方向の下流へ向かうほど前記第２ガイドに向かって突出するように、前記第１ガイドのガイド面に対して傾斜している、
ことを特徴とする請求項１乃至６のいずれか１項に記載のシート搬送装置。
【請求項８】
前記レジストレーションローラ対は、ローラ軸と、前記ローラ軸に支持される複数のローラ本体と、を有し、
前記可動ガイドは、前記ローラ軸の軸方向において前記複数のローラ本体の間を通って前記シート搬送方向に延びている、
ことを特徴とする請求項１乃至７のいずれか１項に記載のシート搬送装置。
【請求項９】
前記可動ガイドは、前記シート搬送方向において前記レジストレーションローラ対のニップ部より上流に位置する揺動支点を中心に揺動する、
ことを特徴とする請求項１乃至８のいずれか１項に記載のシート搬送装置。
【請求項１０】
請求項１乃至９のいずれか１項に記載のシート搬送装置と、
前記レジストレーションローラ対から送り出されたシートから画像情報を読み取る画像読取手段と、を備える、
ことを特徴とする画像読取装置。
【請求項１１】
請求項１乃至９のいずれか１項に記載のシート搬送装置と、
前記レジストレーションローラ対から送り出されたシートに画像を形成する画像形成手段と、を備える、
ことを特徴とする画像形成装置。
【発明の詳細な説明】
【技術分野】
【０００１】
本発明は、シートを搬送するシート搬送装置、並びにシート搬送装置を備える画像読取装置及び画像形成装置に関する。
【背景技術】
【０００２】
デジタル複写機等の画像形成装置において、原稿となるシートを自動的に給送する原稿給送装置（Ａｕｔｏ  Ｄｏｃｕｍｅｎｔ  Ｆｅｅｄｅｒ  以下ＡＤＦと呼ぶ）を備えた画像読取装置が知られている。この種の画像読取装置は、ＡＤＦによって原稿を搬送しながら、原稿の表面を光学的に走査して画像情報を読み取る。
【０００３】
近年、多様なシートに対応可能な画像読取装置が求められており、ＡＤＦについても、原稿の種類（坪量や材質等）に関わらず、読取画像の傾きの原因となる原稿の斜行を防ぐことが求められている。特許文献１には、原稿トレイから画像読取部に至る搬送経路上の２箇所にレジストレーションローラ対を配置し、画像の読み取りが行われるまでに原稿の斜行補正を２回行うことが可能な原稿読取装置が記載されている。
【先行技術文献】
【特許文献】
【０００４】
【特許文献１】特開２０１２−１９７１７１号公報
【発明の概要】
【発明が解決しようとする課題】
【０００５】
ところで、シートの先端を突き当ててシートの斜行補正行うためのレジストレーションローラ対を配置した場合であっても、レジストレーションローラ対より下流においてシートが斜行した状態となることがある。発明者らが検討したところ、このような斜行は、レジストレーションローラ対の上流側及び下流側のそれぞれにおけるシートの挙動に原因があることが示唆された。
【０００６】
そこで、本発明は、シートを安定した姿勢で搬送することが可能なシート搬送装置、並びにシート搬送装置を備える画像読取装置及び画像形成装置を提供することを目的とする。
【課題を解決するための手段】
【０００７】
本発明の一態様は、シートを搬送するシート搬送手段と、シート搬送方向において前記シート搬送手段の下流に配置され、前記シート搬送方向におけるシートの下流端に当接してシートの斜行を補正した後、シートを挟持して搬送するレジストレーションローラ対と、シートの第１面に対向し、シートを案内する第１ガイドと、前記レジストレーションローラ対のニップ部に対して前記シート搬送方向の上流及び下流に延び、シートの前記第１面とは反対の第２面に対向する第２ガイドと、前記ニップ部に対して前記シート搬送方向の上流に延びる上流部と、前記ニップ部に対して前記シート搬送方向の下流に延びる下流部とを有し、シートの前記第１面に対向し、前記下流部が前記第２ガイドに接近又は離間するように移動可能な可動ガイドと、を備える、ことを特徴とするシート搬送装置である。
【発明の効果】
【０００８】
本発明によれば、シートを安定した姿勢で搬送することができる。
【図面の簡単な説明】
【０００９】
【図１】本実施形態に係る画像形成装置の概略図。
【図２】画像形成装置に搭載される画像読取装置の概略図。
【図３】実施例１に係るＡＤＦの一部を示す断面図。
【図４】実施例１に係るＡＤＦの一部（ａ）及び原稿押さえ部材（ｂ）を示す斜視図。
【図５】実施例２に係るＡＤＦの一部を示す断面図。
【発明を実施するための形態】
【００１０】
以下、図面を参照しながら、本発明を実施するための形態を説明する。
【００１１】
（画像形成装置）
まず、画像形成装置の一例であるプリンタ１０１の構成について図１を参照しながら説明する。プリンタ１０１は、図１に示すように、プリンタ本体１０１Ａと、画像読取装置１と、を備えた複合機である。プリンタ本体１０１Ａは、記録媒体として用いられる記録材Ｐに画像を形成する。プリンタ本体１０１Ａの上方に配置された画像読取装置１は、読取装置本体１ＢとＡＤＦ１Ａとを備え、原稿Ｄとして用いられるシートの原稿面を光学的に走査して画像情報を読み取る。記録材Ｐ又は原稿Ｄとして用いられるシートには、薄紙及び厚紙等の紙、オーバーヘッドプロジェクタ用シート（ＯＨＰ）等のプラスチックフィルム、コート紙等の表面処理がされた紙、封筒等の特殊形状のシート、及び布が含まれる。
【００１２】
プリンタ本体１０１Ａは、記録材Ｐに画像を形成する画像形成部１３３と、画像形成部１３３に記録材Ｐを給送するシート給送部１３４と、を有している。シート給送部１３４は、互いに異なるサイズのシートを収納可能なシート収納部１３７ａ，１３７ｂ，１３７ｃ，１３７ｄを備えている。各シート収納部に収納されたシートは、ピックアップローラ１１２によって繰り出され、フィードローラ１１３ａ及びリタードローラ１１３ｂによって１枚ずつ分離されて、対応する搬送ローラ対１３１へと受け渡される。そして、記録材Ｐは、シート搬送路に沿って配置された複数の搬送ローラ対１３１を順に受け渡されることで、レジストレーションローラ対１３６へと搬送される。
【００１３】
なお、ユーザによって手差しトレイ１３７ｅに載置された記録材Ｐは、給送ローラ１３８によってプリンタ本体１０１Ａの内部に給送され、レジストレーションローラ対１３６へと搬送される。レジストレーションローラ対１３６は、記録材Ｐの先端を停止させて斜行を補正すると共に、画像形成部１３３によるトナー像の形成プロセスである作像動作の進行に合わせて記録材Ｐの搬送を再開する。
【００１４】
記録材Ｐに画像を形成する画像形成部１３３は、感光体である感光ドラム１２１を備えた電子写真方式の画像形成ユニットである。感光ドラム１２１は、記録材Ｐの搬送方向に沿って回転可能であり、感光ドラム１２１の周囲には帯電器１１８、露光装置１２３、現像器１２４、転写帯電器１２５、分離帯電器１２６、及びクリーナ１２７が配置されている。帯電器１１８は感光ドラム１２１の表面を一様に帯電させ、露光装置１２３は画像読取装置１等から入力される画像情報に基づいて感光ドラム１２１を露光し、ドラム上に静電潜像を形成する。
【００１５】
現像器１２４は、トナー及びキャリアを含む二成分現像剤を収容しており、感光ドラム１２１に帯電したトナーを供給することで静電潜像をトナー像に現像する。感光ドラム１２１に担持されたトナー像は、転写帯電器１２５が形成するバイアス電界により、レジストレーションローラ対１３６から搬送される記録材Ｐに転写される。トナー像を転写された記録材Ｐは、分離帯電器が形成するバイアス電界によって感光ドラム１２１から離間し、定着前搬送部１２８によって定着部１２９へ向けて搬送される。なお、記録材Ｐに転写されずに感光ドラム１２１に残留した転写残トナー等の付着物はクリーナ１２７によって除去され、感光ドラム１２１は次の作像動作に備える。
【００１６】
定着部１２９に搬送された記録材Ｐは、ローラ対に挟持されて加圧されながら加熱され、トナーの溶融・固着により画像を定着させられる。画像出力が完了している場合、定着画像が得られた記録材Ｐは、排出ローラ対１１６を介して、プリンタ本体１０１Ａの外方に突出した排出トレイ１３０に排出される。両面印刷において記録材Ｐの裏面に画像を形成する場合、定着部１２９を通過した記録材Ｐは、反転部１３９によって表面と裏面とを入れ替えられ、両面搬送部１４０によってレジストレーションローラ対１３６へと搬送される。そして、画像形成部１３３によって再び画像を形成された記録材Ｐは、排出トレイ１３０に排出される。
【００１７】
以上説明した画像形成部１３３はシートに画像を形成する画像形成手段の一例であり、中間転写体を介して記録材Ｐに画像を転写する中間転写方式を採用してもよい。また、電子写真システム以外の画像形成手段（例えば、インクジェット方式又はオフセット印刷方式）を用いてもよい。
【００１８】
（画像読取装置）
次に、図２を参照して、画像読取装置１の構成を説明する。図２に示すように、画像読取装置１は、読取装置本体１Ｂと、本実施形態のシート搬送装置であるＡＤＦ１Ａとによって構成される。また、画像読取装置１は、読取装置本体１Ｂに配置された第１読取部１１と、ＡＤＦ１Ａに配置された第２読取部１２と、を備えている。以下、画像読取装置１を構成する各要素について説明する。
【００１９】
第１読取部１１は、原稿Ｄ（図１参照）の一方の面から画像情報を読み取る。また、第２読取部１２は、原稿Ｄの他方の面から画像情報を読み取る。第１読取部１１及び第２読取部１２は、原稿に対して光を照射する露光ランプと、光電変換素子からなるイメージセンサと、不図示のミラーやレンズ等と、を有している。露光ランプから照射され、原稿Ｄによって反射された反射光は、ミラーやレンズを介してイメージセンサに結像され、光電変換されて画像データとなる。第１読取部１１及び第２読取部１２によって得られた画像データは、プリンタ本体１０１Ａの制御部１３２（図１参照）に伝送される。ただし、第１読取部１１及び第２読取部１２は常に両面の同時読取りを実行するとは限らず、片面のみの読取りも可能である。
【００２０】
読取装置本体１Ｂは、プリンタ本体１０１Ａの上面に固定されている（図１参照）。読取装置本体１Ｂの上面には、図２に示すように、フラットベッド型の原稿台２８が配置されている。第１読取部１１は、図中左右方向に移動可能なキャリッジ（不図示）に支持されており、図２に示す位置から、原稿台２８に沿って原稿台２８の全長に亘って移動可能である。
【００２１】
ＡＤＦ１Ａは、図中奥側に配置された不図示のヒンジ機構によって、読取装置本体１Ｂに対して上下方向に開閉可能に支持されており、読取装置本体１Ｂの原稿台２８に対向して押圧板２９が形成されている。ＡＤＦ１Ａは、第２読取部１２の他に、原稿トレイ２と、原稿搬送部２３と、排出トレイ３とを備えている。原稿トレイ２は、ユーザによって載置された原稿Ｄを支持する。原稿搬送部２３は、内部に原稿搬送路２３０が形成されており、原稿トレイ２に載置された原稿Ｄを、原稿搬送路２３０を介して第１読取部１１及び第２読取部１２に給送する。第１読取部１１及び第２読取部１２によって画像情報が読み取られた原稿Ｄは、排出トレイ３に排出される。
【００２２】
原稿搬送部２３について詳しく説明する。原稿搬送部２３は、ピックアップローラ４と、フィードローラ５と、分離ローラ６と、レジストレーションローラ対（以下、レジローラ対とする）７と、搬送ローラ対８，９と、排出ローラ対１０とを備える。これらのローラは、原稿搬送路２３０におけるシートの移動方向（以下、シート搬送方向とする）に沿って順に配置されている。なお、排出トレイ３は原稿トレイ２の下方に位置し、シート搬送方向に直交するシートの幅方向から視たとき（図２の視点）、原稿搬送路２３０はＵ字状に湾曲している。
【００２３】
ピックアップローラ４は、本実施形態においてシートを給送する給送手段であり、原稿トレイ２に載置された原稿Ｄの上面に当接して最上位の原稿を給送する。フィードローラ５及び分離ローラ６は、ピックアップローラ４から受け取った原稿Ｄを１枚ずつに分離しながら、シート搬送方向の下流へ搬送する。分離ローラ６は、フィードローラ５に圧接され、トルクリミッタを介して搬送方向に逆らう方向の回転駆動が入力されている。なお、このようなリタード方式に代えて、固定された軸にトルクリミッタを介して連結されたローラ部材や、パッド状の分離部材を用いてもよい。
【００２４】
本実施形態のレジストレーション手段であるレジローラ対７は、フィードローラ５から搬送される原稿Ｄのシート搬送方向の下流端（以下、先端とする）をニップ部で受け止め、原稿Ｄを撓ませて斜行を補正する。また、レジローラ対７は、斜行が補正された原稿Ｄを、原稿搬送路２３０の屈曲部を介して搬送する。レジローラ対７から送り出された原稿Ｄは、搬送ローラ対８を介して搬送され、第１読取部１１及び第２読取部１２によって画像が読み取られる。画像が読み取られた原稿Ｄは、搬送ローラ対９を介して排出ローラ対１０に受け渡され、排出ローラ対１０によって排出トレイ３に排出される。
【００２５】
なお、ここではプリンタ本体１０１Ａと連結された画像読取装置１について説明したが、画像読取装置１は、画像形成装置とは独立した画像読取装置としても使用可能である。その場合、第１読取部１１及び第２読取部１２によって読み取られた画像情報は、有線又は無線の通信手段を介して外部のコンピュータに伝送されるか、或いは画像読取装置内部の記憶装置に格納された後、記憶媒体又は外部のコンピュータに伝送される。また、後述の実施例で説明する構成は、２つの画像読取部（１１，１２）によって原稿の両面から並行して画像を読み取り可能な構成に限らず、いずれか一方のみを有する画像読取装置にも適用可能である。
【００２６】
ここで、画像読取装置１のＡＤＦ１Ａによって搬送される原稿Ｄに斜行が生じるメカニズムについて説明する。
【００２７】
上述のＡＤＦ１Ａにおいて、フィードローラ５から送り出された原稿Ｄは、停止状態のレジローラ対７のニップ部に所定の深さまで先端が侵入することで、先端の移動が規制されて撓んだ状態となり、先端がニップ部に倣うようにして斜行補正される。しかし、ニップ部の上流側において原稿Ｄの姿勢が安定していないと、十分に斜行が補正されない可能性がある。例えば、シート搬送方向から視て原稿Ｄの湾曲が生じていると、原稿Ｄの先端の一部がニップ部の所定の深さまで侵入することなく、ニップ部より上流側でレジローラ対７又は搬送ガイド等に引っ掛かってしまうことがある。この場合、原稿Ｄはレジローラ対７の斜行補正作用を受けることができず、斜行が残った状態で原稿Ｄがレジローラ対７から送り出されてしまう。
【００２８】
また、レジローラ対７で斜行補正が行われた後に、下流側の搬送ローラ対８（図２参照）へ向けて搬送される過程で原稿Ｄの姿勢が乱れることもある。これは、原稿搬送路２３０が原稿Ｄの厚さ方向に一定の幅を有しているため、原稿搬送路２３０をどのような経路で通過するかによってレジローラ対７から搬送ローラ対９までの搬送距離が変化するためである。原稿Ｄの先端の一部が、湾曲した原稿搬送路２３０の内側に沿って移動し、他の一部が原稿搬送路２３０の外側に沿って移動するような場合、先端が搬送ローラ対８に到達するタイミングにずれが生じる。搬送ローラ対８では斜行補正を行わないため、搬送ローラ対８への到達タイミングのずれは、搬送ローラ対８から送り出される原稿Ｄの先端の傾きを生じさせる。これにより、レジローラ対７によって斜行補正された後、搬送ローラ対８から送り出された原稿Ｄに斜行が生じた状態となる。
【実施例１】
【００２９】
第１の実施例（実施例１）では、可動ガイドである原稿押さえ部材を用いることで原稿Ｄの斜行を抑制する。以下、本実施例の原稿押さえ部材について、図３及び図４を用いて説明する。なお、特に断らない限り、以下の説明における「上流」又は「下流」とは、それぞれ原稿搬送路２３０の各地点におけるシート搬送方向の上流又は下流を表すものとする。
【００３０】
図３に示すように、ＡＤＦ１Ａは、レジローラ対７の付近で原稿搬送路２３０を形成するガイド部材として、上面ガイド２１及び下面ガイド２２を備えている。上面ガイド２１は、原稿Ｄの上面（原稿トレイ２に載置された状態における原稿Ｄの上面）に対向し、下面ガイド２２は、原稿Ｄの下面に対向する。上面ガイド２１及び下面ガイド２２は、それぞれ、レジローラ対７のニップ部より上流のレジ前ガイド面２１１，２２１と、ニップ部より下流のレジ後ガイド面２１２，２２２とを有している。なお、ニップ部より上流又は下流とは、レジローラ対７のニップ位置Ｎ１を基準とするシート搬送方向の位置関係を指している。ニップ位置Ｎ１は、幅方向から視てレジローラ対７のローラ軸７１，７２の軸線同士を結ぶ直線が原稿搬送路２３０を通過する箇所のシート搬送方向の位置とする。
【００３１】
原稿押さえ部材２４は、上面ガイド２１と同じ側に、つまり原稿Ｄの上面と対向するように配置される。原稿押さえ部材２４は、レジローラ対７のニップ位置Ｎ１に対して上流側と下流側とに延び、ニップ位置Ｎ１より上流に位置する軸部２４Ａを揺動中心にして図中上下方向に揺動可能である。つまり、原稿押さえ部材２４は、レジローラ対７のニップ部より上流の上流部２４１と、ニップ部より下流の下流部２４２とを有し、下流部２４２が下面ガイド２２に接近又は離間する方向に移動可能である。
【００３２】
上面ガイド２１は本実施例の第１ガイドであり、下面ガイド２２は本実施例の第２ガイドである。なお、第１ガイドは可動ガイドと共にシートの第１面に対向し、第２ガイドがシートの第１面とは反対の第２面に対向するものとする。
【００３３】
上面ガイド２１及び下面ガイド２２のレジ前ガイド面２１１，２２１は、レジローラ対７に先端が突き当たった原稿Ｄの撓みを許容する空間を形成している。本実施例では、上面ガイド２１に上方に向かって凹んだ凹部２１ｕが設けられることで、原稿搬送路２３０の厚さ方向の幅Ｗが上流及び下流に比べて大きく設定された箇所が設けられている。
【００３４】
原稿押さえ部材２４の上流部２４１は、原稿Ｄの先端をレジローラ対７のニップ部に案内できるように上面ガイド２１に対して傾斜している。具体的には、上面ガイド２１のレジ前ガイド面２１１がレジローラ対７のニップ位置Ｎ１から上流側に延出する部分２１ａに対して、シート搬送方向の下流へ向かうほど下面ガイド２２に近付くように上流部２４１が突出している。従って、原稿Ｄの幅方向から視たとき、原稿押さえ部材２４は、上面ガイド２１及び下面ガイド２２によって規定される原稿搬送路２３０の厚さ方向の幅に比べて、レジローラ対７の上流側における原稿Ｄの通過位置を制限している。
【００３５】
レジローラ対７の下流側において、原稿搬送路２３０は湾曲している。即ち、上面ガイド２１及び下面ガイド２２のレジ後ガイド面２１２，２２２の少なくとも一部が、原稿Ｄの幅方向から視て湾曲した湾曲部となっている。レジローラ対７から図中左方に送り出される原稿Ｄは、原稿搬送路２３０の湾曲により下方へ案内される。上面ガイド２１のレジ後ガイド面２１２は湾曲の外側に位置し、下面ガイド２２のレジ後ガイド面２２２は湾曲の内側に位置する。また、原稿押さえ部材２４の下流部２４２の少なくとも一部は、下面ガイド２２のレジ後ガイド面２２２の湾曲に沿って湾曲している。本実施例では、レジ後ガイド面２２２及び下流部２４２は、いずれも幅方向から視て略円弧状に形成される。
【００３６】
図４（ａ）に示すように、原稿押さえ部材２４はレジローラ対７の複数のローラ本体７ａ，７ｂ，７ｃの間を通ってシート搬送方向に延びている。本実施例において、レジローラ対７はローラ軸７１，７２にそれぞれ３つのローラ本体７ａ，７ｂ，７ｃが取付けられることで構成されている。原稿押さえ部材２４は、ローラ軸７１，７２の軸方向（原稿の幅方向）において中央のローラ本体７ｂの両側に、幅方向において対称な２箇所に配置されている。
【００３７】
図４（ｂ）に示すように、原稿押さえ部材２４の揺動支点となる軸部２４Ａには、ねじりコイルバネ２５が取付けられる。ねじりコイルバネ２５は、一端においてＡＤＦ１Ａのフレームに係合し、他端において原稿押さえ部材２４に係合している。ねじりコイルバネ２５は、原稿押さえ部材２４を下面ガイド２２に近付ける方向（図３における反時計回り方向）のモーメントを発生させる。また、原稿Ｄの搬送が行われていないとき、原稿押さえ部材２４の下流部２４２は、上面ガイド２１のレジ後ガイド面２１２から突出した状態で下面ガイド２２に当接し、原稿Ｄに押圧されることで下面ガイド２２から離間する。なお、ねじりコイルバネ２５は付勢部材の一例であり、他の弾性部材を用いてもよく、或いは原稿押さえ部材２４が自重により下面ガイド２２に当接する構成としてもよい。
【００３８】
なお、湾曲した原稿搬送路２３０の内側に位置する下面ガイド２２のレジ後ガイド面２２２には、原稿Ｄの搬送抵抗を低減するため、シート搬送方向に延びる複数のリブ２２３及び複数のコロ２２４が配置されている（図４（ａ））。本実施例の場合、各原稿押さえ部材２４は幅方向においてコロ２２４と異なる位置に配置され、コロ２２４と接触しないように配置される。
【００３９】
また、図４（ｂ）に示すように、原稿押さえ部材２４は、上流部２４１に比べて下流部２４２の方が、シート搬送方向により長い構成であると好適である。これは、後述のレジローラ対７の下流で原稿Ｄの姿勢を安定させる作用が得られやすくなるためである。
【００４０】
（原稿押さえ部材の作用）
本実施例の構成により得られる作用について説明する。原稿Ｄの幅方向から視て、原稿押さえ部材２４の上流部２４１は、レジローラ対７の上流側において原稿搬送路２３０の幅を制限している（図３参照）。このため、原稿Ｄの先端をレジローラ対７のニップ部へ向けて案内し、レジローラ対７に接近する前の原稿Ｄの姿勢に関わらず、原稿Ｄの先端をレジローラ対７の各ローラ本体７ａ〜７ｃに当接させることができる。即ち、幅方向の全域に亘り、原稿Ｄの先端がレジローラ対７のニップ部に所定の深さまで進入した状態で斜行補正が行われるため、レジローラ対７による斜行補正の精度が高まる。
【００４１】
また、原稿押さえ部材２４の下流部２４２は、原稿Ｄが搬送されていないときは下面ガイド２２に当接し、原稿Ｄに押圧されることで下面ガイド２２から離間する方向に揺動する。つまり、レジローラ対７から送り出される原稿Ｄは、原稿押さえ部材２４を上方に押し上げながら搬送ローラ対８に向かって搬送される。
【００４２】
ここで、原稿押さえ部材２４がない従来の構成では、原稿Ｄが曲げ剛性の比較的低い薄いシート（例えば薄紙）である場合に原稿Ｄの姿勢が変化しやすかった。そして、第１読取部１１及び第２読取部１２に到達するまでに原稿Ｄの斜行が厚紙等に比べて生じやすい傾向があった。本実施例の構成では、原稿押さえ部材２４の下流部２４２によって原稿Ｄの通過経路が制限されるため、原稿Ｄの姿勢変化が規制される。このため、レジローラ対７によって斜行補正された原稿Ｄに新たに斜行が生じることを防いで、原稿Ｄを安定した姿勢で搬送することができる。そして、第１読取部１１及び第２読取部１２によって読み取られる画像データの傾きを低減することができる。
【００４３】
また、原稿Ｄが曲げ剛性の比較的高いシート（例えば厚紙）である場合には、原稿押さえ部材２４は、薄紙の場合に比べて下面ガイド２２から離間した位置まで退避する。このように原稿押さえ部材２４が退避することで、原稿Ｄの通過経路が過度に制限されて搬送抵抗が大きくなり、搬送不良が生じる可能性を低減することができる。
【００４４】
このように、原稿押さえ部材２４をレジローラ対７のニップ部の上流側から下流側まで延設し、かつ下流部２４２が下面ガイド２２に接近及び離間するように移動可能な構成としたため、多様な原稿Ｄを安定した姿勢で搬送することが可能となった。
【００４５】
なお、原稿Ｄとして想定される主なシート種類に合わせて、ねじりコイルバネ２５のバネ定数を変更する等して、原稿押さえ部材２４を下面ガイド２２へ向けて付勢する付勢力の大きさを変更すると好適である。また、少なくとも下流部２４２が下面ガイド２２に対して接近又は離間するように移動可能な構成であればよく、原稿押さえ部材２４は揺動支点を中心に揺動（回動）する部材に限らない。
【実施例２】
【００４６】
上記実施例１では、原稿押さえ部材２４を上面ガイド２１と同じ側に（つまり原稿Ｄの上面に対向するように）配置する構成を説明したが、第２の実施例（実施例２）では、下面ガイドと同じ側に原稿押さえ部材を配置する。以下、実施例１と同様の構成・作用を有する要素については、実施例１と共通の符号を付して説明を省略する。
【００４７】
図５に示すように、本実施例の原稿押さえ部材３４は、原稿搬送路２３０の下方に配置される。原稿押さえ部材３４は、レジローラ対７のニップ位置Ｎ１から上流に延びる上流部３４１及びニップ位置Ｎ１から下流に延びる下流部３４２を有し、軸部３４Ａを中心にして図中上下方向に揺動する。また、軸部３４Ａには不図示のねじりコイルバネが装着されている。原稿押さえ部材３４は、ねじりコイルバネの付勢力により、下流部３４２において上面ガイド３１のレジ後ガイド面３１２に当接している。
【００４８】
本実施例では、下面ガイド３２が第１ガイドに相当し、上面ガイド３１が第２ガイドに相当する。本実施例の可動ガイドである原稿押さえ部材３４は、下流部が第２ガイドである上面ガイド３１に接近又は離間するように移動可能である。
【００４９】
原稿押さえ部材３４の上流部３４１は、下面ガイド３２のレジ前ガイド面３２１に対して、シート搬送方向の下流に向かうほど厚さ方向に突出する（上面ガイド３１のレジ前ガイド面３１１に接近する）ように傾斜している。つまり、上流部３４１によってレジローラ対７の上流側において原稿Ｄの幅方向から視た原稿搬送路２３０の幅が制限され、原稿Ｄの先端がレジローラ対７のニップ部に案内される。
【００５０】
また、原稿押さえ部材３４の下流部３４２は、原稿Ｄが搬送されていないときは下面ガイド３２のレジ後ガイド面３２２から突出した状態で上面ガイド３１のレジ後ガイド面３１２に当接し、原稿Ｄに押圧されることで上面ガイド３１から離間する。このため、薄紙等の通過経路を制限して斜行の発生を防ぎつつ、原稿押さえ部材３４を設けたことによる厚紙等の搬送不良を回避することができる。
【００５１】
即ち、本実施例の構成を採用した場合も、実施例１と同様に、レジローラ対７の上流側及び下流側の両方における原稿押さえ部材３４の作用により、シートを安定した姿勢で搬送することが可能となる。これにより、第１読取部１１及び第２読取部１２に搬入される原稿Ｄの姿勢が安定するため、傾きの少ない画像データを取得することが可能となる。
【００５２】
（その他の実施形態）
以上の実施例１，２では、ＡＤＦ１Ａに可動ガイドとしての原稿押さえ部材２４，３４を配置した構成について説明したが、他のシート搬送装置に可動ガイドを配置してもよい。例えば、上述のプリンタ本体１０１Ａ（図１参照）において、レジストレーションローラ対１３６の上流側及び下流側に延びる可動ガイドを配置してもよい。その場合、実施例１，２で説明した原稿押さえ部材２４，３４と同様の作用により、画像形成部１３３に給送される記録材Ｐの姿勢が安定するため、傾きの少ない出力画像を得ることが可能となる。
【符号の説明】
【００５３】
１…画像読取装置／１Ａ，１０１Ａ…シート搬送装置（ＡＤＦ、プリンタ本体）／７，１３６…レジストレーションローラ対（レジローラ対）／１１，１２…画像読取手段（第１読取部、第２読取部）／２１…第１ガイド（上面ガイド）／２２…第２ガイド（下面ガイド）／２４，３４…可動ガイド（原稿押さえ部材）／２４１，３４１…上流部／２４２，３４２…下流部／３１…第２ガイド（上面ガイド）／３２…第１ガイド（下面ガイド）／１０１…画像形成装置（プリンタ）／１３３…画像形成手段（画像形成部）／Ｄ，Ｐ…シート（原稿、記録材）
【図１】
2020001880.tif 000003
【図２】
2020001880.tif 000004
【図３】
2020001880.tif 000005
【図４】
2020001880.tif 000006
【図５】
2020001880.tif 000007